(57)【要約】【課題】ティシュボックスからティッシュを引き抜いてもティッシュボックスごと動かない器具を提供する。【解決手段】ティシュボックスの底部外側に設置する器具であって、中板１と前記中板１の両側に張り付けたゴム２から構成されこと、ゴム２はシリコンゴムであり、縦が６０ミリメートルから１２０ミリメートル、横が１２５ミリメートルから２５０ミリメートルであり、中板１はゴム２より横または縦の長さが長いことを特徴とする器具。【選択図】図１
2020195577.tif 000002
【特許請求の範囲】
【請求項１】
ティシュボックスの底部外側に設置する器具であって、中板１と前記中板１の両側に張り付けた粘着性のあるゴム２から構成され、ゴム２はシリコンゴムであり、縦が６０ミリメートルから１２０ミリメートル、横が１２５ミリメートルから２５０ミリメートルであり、中板１はゴム２より横または縦の長さが長いことを特徴とする器具。
【請求項２】
中板１は磁石ゴム板である請求項１の器具。
【請求項３】
ゴム２は透明なシリコンゴムであり中板１に印刷された文字、ロゴ、写真が見えるように構成された請求項１の器具。
【請求項４】
縦横の中央部分に空隙が設けられている請求項１の器具。
【発明の詳細な説明】
【技術分野】
【０００１】
本発明はティシュボックスからティシュを引き抜く際にボックスごと動いてしまうことを防止するための器具に関するものである。
【背景技術】
【０００２】
典型的なティシュボックスは３００枚から４００枚のティシュを２枚１組で１５０〜２００組程度を１つのボックスに収めたもので、ボックスの大きさは縦１１０ミリメートルから1１８ミリメートル、横２２０ミリメートルから２４５ミリメートル、高さ４５ミリメートルから６１ミリメートル程度が代表的な大きさである。ティシュボックス全体は２００グラム程度と軽く、ティシュをボックスから引き抜く際の力の方向、速度によってはティシュにかかる力がティシュボックス全体を動かしてしまい、テーブルや台からの落下に繋がるという不便がある。特にティシュの残量が少なくなった場合はティシュボックス全体の重量が５0グラム程度となり、ティシュを引き抜くとボックス全体が宙に浮いたり、テーブル上を滑って移動し、落下するなどして煩わしいこと甚だしい。
【先行技術文献】
【特許文献】
【０００３】
【特許文献１】実願平９−６６４６
【発明の概要】
【発明が解決しようとする課題】
【０００４】
ティシュボックスの大きさはメーカ、商品により縦、横、高さともまちまちであり、ボックスを把持するような機構を有する器具を構成ことは器具が大々的となり、日常での使用上の困難がある。引用文献１ではティシュボックスの長手方向を両側から挟み込んで固定し、おもりを付けてボックスの浮き上がりを予防しているが、全体的に器具が大きく、重くなり、ティシュボックスの長手方向の大きさによっては挟み込みが困難であることが想定される。様々な大きさのティシュボックスに対応でき、簡易でティシュ抜き取り時に意図しないボックスの移動を予防できる器具が必要である。
【課題を解決するための手段】
【０００５】
本発明は、大きさが多様なティシュボックスを簡易にテーブル、台上に固定し、ティシュボックスの浮き上がり、移動を予防できる器具を提供する。そのため、本器具はティシュボックスの大きさと比べて同じまたは小さい縦横の長さの中板と、この中板より小さい密着面を有する粘着性を有するゴムを前記中板の両面に張り付けた構成を有する。
【発明の効果】
【０００６】
ティシュボックスの下面の外側に本器具を密着させ、テーブルや台の上に本器具を置くことで、本器具を介してティシュボックスとテーブル、台が密着した状態となり、ティシュを引き抜いても容易にティシュボックスが動かないようになる。また、ティシュボックスを重ねて置いても、２つのティシュボックスが本器具を介して密着状態となるため、容易にティシュボックスが動かない。
【図面の簡単な説明】
【０００７】
【図１】図１は本発明の器具を正面から見た図である。
【図２】図２は本発明の器具を側面の上側から見た図である。
【図３】図３は本発明の器具を使用中の状況を示す図である。
【発明を実施するための形態】
【０００８】
図１は、本器具を正面から見た図である。中板１はプラスチック、ゴム、金属など曲がるが固めの材質を使用し、縦横がティシュボックスとほぼ同じ、または小さい板状である。中板１は厚さ０．３ミリメートルから１ミリメートル前後の折れ曲がらない例えば塩化ビニールの板である。ゴム２は中板１の両面に張り付けた粘着性のある柔軟性の材質を使用した中板１より面積が小さい面状の板である。コム２は典型的には軟性、粘着性のあるシリコンゴムで構成するが、ポリウレタンや粘性のある新素材を使用しても良い。ゴム２を中板１に張り付けることで柔らかいゴム２が折れ曲がって接着してしまうことを防止できる。ゴム２が中板１より小さいことにより、ゴム２が張り付いていない中板１の部分を手に持って、本器具の設置、取り外しを容易とすることができる。中板１の四隅は引っ掛かりを防止するため弧を描くように角を落としても良い。ゴム２の縦は、典型的なティシュボックスの最大の大きさ１２０ミリメートル以下からその半分の６０ミリメートル以上である。ゴム２の横は、典型的なティシュボックスの最大の大きさ２５０ミリメートル以下からその半分の１２５ミリメートル以上である。縦横を半分以上とするのは本器具とティシュボックスの位置関係によっては生成された空隙がティシュを抜き取る際の力によって梃子の原理で粘着面を外すように作用するからである。中板１とゴム２の横幅は図１のように左右各５ミリメートル程度中板１を長くする。こうすることにより、本器具とティシュボックスが密着した状態でもこの中板１の出っ張りに指を掛けることで、簡単に本器具をティシュボックスから剥がすことができる。図１で上下方向に中板１とゴム２の縦幅を上下各５ミリメートル程度中板１を長くしても良い。
中板１には磁石ゴム板を使用することができる。これにより本器具を使用していな状態では冷蔵庫や洗濯機などのスチール製機器に本器具を張り付けることができ保管に便利である。ゴム２には透明なシリコンゴムを使用することができる。中板１に文字やロゴ、写真を印刷することができ、コマーシャル用など本器具を販売促進用に使用することも可能である。
なお、ティシュボックスによっては底の中央に切れ込みがあり、ティシュの残量が少なくなったときに指で底の紙を折り曲げてティシュのボックス内での位置を上昇させるように構成しているものがある。このため、本器具の縦横の中央部分に縦４ｃｍ、横９ｃｍ程度のスリット（空隙：中板１およびコム２が無い部分）を設けても良い。
【０００９】
図２は、本器具を側面の上側から見た図である。中板１と両側のゴム２から構成される。図２のように中板１はゴム２より長くすることができる。
【００１０】
図３は、本器具を使用してティシュボックスをテーブル上に置いた状況を示している。このようにすることでティシュボックスからティシュを引き抜いてもその力でボックス全体が動くことを阻止することができる。また、本器具を２つ使用してティシュボックスを２段重ねにしてテーブルに設置することも、本器具を１つだけ使用してティシュボックスの間に本器具を設置してティシュボックスを２段重ねとすることもできる。
【産業上の利用可能性】
【００１１】
本器具を介してティシュボックスとテーブル、台が密着した状態となり、ティシュを引き抜いても容易にティシュボックスが動かないようになる。ティシュボックスを重ねて置いても、２つのティシュボックスが本器具を介して密着状態となるため、同様に容易にティシュボックスが動かないようになる。ティシュボックスをストレスなく使用することが可能となり、生活の質が向上する。
【符号の説明】
【００１２】
１    中板１
２    ゴム２
【図１】
2020195577.tif 000003
【図２】
2020195577.tif 000004
【図３】
2020195577.tif 000005
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
ティシュボックスの底部外側に設置する器具であって、中板(１)と前記中板(１)の両側に張り付けた粘着性のあるゴム(２)から構成され、前記ゴム(２)はシリコンゴムであり、縦が６０ミリメートルから１２０ミリメートル、横が１２５ミリメートルから２５０ミリメートルであり、前記中板（１）は磁石ゴム板であり、前記ゴム（２）より横または縦の長さが長いことを特徴とするずれ難いティシュボックスマット。
【請求項２】
前記ゴム（２）は透明なシリコンゴムであり前記中板（１）に印刷された文字、ロゴ、写真が見えるように構成された請求項１に記載のずれ難いティシュボックスマット。